(57)【要約】【課題】映像表示装置と複数の録画再生装置とが接続されている場合に、映像表示装置を利用中のユーザが、複数の録画再生装置それぞれにおける録画番組をまとめて把握し、その録画番組の一部又は全部を選択して所定の処理を録画再生装置に指示するための操作を容易に行うことができること。【解決手段】テレビジョン受像機Ｘは、複数の録画再生装置Ｙそれぞれに録画された録画番組に関する録画番組情報を、ＨＤＭＩインターフェースＷを通じて複数の録画再生装置Ｙから取得し、その録画番組情報に基づいて、複数の録画再生装置Ｙについての録画番組の内容情報を編成して映像表示部５に表示させ、リモコン８の操作部を通じた操作入力に従って録画番組を選択し、選択された録画番組について再生処理又は削除処理を実行することを、ＣＥＣライン４２を通じて録画再生装置Ｙに指示する。【選択図】図１
2008078961.tif 000002
【特許請求の範囲】
【請求項１】
映像表示部を備え、映像信号を含む信号を伝送するＴＭＤＳ信号伝送ラインとＣＥＣ規格に準拠したＣＥＣ信号伝送ラインとを含みＨＤＭＩ規格に準拠した信号伝送を行うＨＤＭＩ信号伝送手段により、複数の録画再生装置と通信可能に構成された映像表示装置であって、
前記複数の録画再生装置それぞれの記憶部に録画された録画番組に関する録画番組情報を、前記ＨＤＭＩ信号伝送手段を通じて前記複数の録画再生装置から取得する録画番組情報取得手段と、
前記録画番組情報取得手段により取得された前記録画番組情報に基づいて、前記複数の録画再生装置についての前記録画番組の内容情報を編成して前記映像表示部に表示させる録画番組情報表示制御手段と、
前記録画番組の内容情報が前記映像表示部に表示された状態で、所定の操作部を通じた操作入力に従って前記録画番組を選択する録画番組選択手段と、
前記録画番組選択手段により選択された前記録画番組についての処理を実行することを、前記ＣＥＣ信号伝送ラインを通じて前記録画再生装置に指示する処理指示手段と、
を具備してなることを特徴とする映像表示装置。
【請求項２】
前記処理指示手段が前記録画再生装置に対して実行を指示する処理が、前記録画番組の再生処理及び削除処理の一方又は両方を含んでなる請求項１に記載の映像表示装置。
【請求項３】
前記録画番組情報表示制御手段が、放送日時、放送チャンネル、所定のキーワード、前記録画番組情報に含まれる所定の区分情報及び録画されている前記録画再生装置の識別情報のうちの１又は複数に基づいて前記録画番組の内容情報を編成してなる請求項１又は２のいずれかに記載の映像表示装置。
【請求項４】
前記録画番組情報取得手段が、前記録画番組情報の送信を前記ＣＥＣ信号伝送ラインを通じて前記複数の録画再生装置に対して要求し、これに応じて返信される前記録画番組情報を取得してなる請求項１〜３のいずれかに記載の映像表示装置。
【請求項５】
前記録画番組情報取得手段が、前記録画番組情報表示制御手段によって前記映像表示部に表示される前記録画番組の内容情報を含む前記録画番組情報を、前記ＴＭＤＳ信号伝送ラインを通じて前記複数の録画再生装置から受信するものである請求項１〜４のいずれかに記載の映像表示装置。
【請求項６】
番組の識別情報と番組内容の情報とが関連付けられた電子番組情報を記憶する電子番組情報記憶手段を具備し、
前記録画番組情報取得手段が、前記録画番組の識別情報を含む前記録画番組情報を前記ＣＥＣ信号伝送ラインを通じて前記複数の録画再生装置から受信するものであり、
前記録画番組情報表示制御手段が、前記録画番組の識別情報に基づいて前記電子番組情報記憶手段に記憶された前記電子番組情報の中から前記映像表示部に表示させる前記録画番組の内容情報を検索してなる請求項１〜４のいずれかに記載の映像表示装置。
【発明の詳細な説明】
【技術分野】
【０００１】
本発明は、ＨＤＭＩ（High Definition Multimedia Interface）規格に準拠した信号伝送手段を通じて複数の録画再生装置と通信可能に構成された映像表示装置（テレビジョン受像機等）に関するものである。
【背景技術】
【０００２】
一般に、昨今の録画再生装置は、テレビジョン放送やインターネットを通じて電子番組ガイド（ＥＰＧ）情報を取得し、放送番組（映像及び音声）をハードディスクドライブ等の記憶部にデジタル録画する際に、その録画番組に関するＥＰＧ情報も併せて記憶部に記憶させる機能を備えている。このようにして記憶された録画番組に関するＥＰＧ情報は、再生する録画番組の選択メニュー映像に含められ、その選択メニュー映像が録画再生装置に接続されたテレビジョン受像機の映像表示部に表示される。
一方、特許文献１には、コンピュータにより、ネットワークを通じて録画再生装置を制御するシステムが示されている。これにより、録画再生装置の遠隔操作等が可能となる。
また、録画再生装置は、映像表示部（液晶表示部など）を備えたテレビジョン受像機（映像表示装置の一例）と信号伝送用ケーブルにより接続され、テレビジョン受像機の映像表示部に、ＥＰＧ情報や番組予約情報の入力インターフェース映像（画面）を表示させるものが多い。これにより、テレビジョン受像機の映像表示部は、録画済み番組の映像の出力先として機能するのに加え、録画再生装置のマンマシンインターフェースとしても機能する。
【０００３】
一方、特許文献２に示されるように、テレビジョン受像機と録画再生装置やセットトップボックス（ＳＴＢ）との間で信号伝送を行う手段の１つとして、ＨＤＭＩ規格に準拠した信号伝送手段（以下、ＨＤＭＩインターフェースという）がある。このＨＤＭＩインターフェースは、外観上１本にまとめられたケーブルによってデジタルの映像信号及び音声信号を同時に伝送でき、シンプルな配線と劣化のない信号伝送とを実現できる。ここで、ＨＤＭＩインターフェースは、符号化されていない（非圧縮の）映像信号及び音声信号を伝送（ベースバンド方式で伝送）するため、機器間における信号の符号化方式の違いに影響されず、拡張性及び永続性（将来、新たな符号化方式を採用する機器とも接続できる可能性）に優れている。
なお、ＨＤＭＩインターフェースにおいて、映像信号及び音声信号を含む信号は、ＴＭＤＳ（Transition Minimized Differential Signaling）信号伝送ライン（以下、ＴＭＤＳラインという）を通じて高速伝送される。
また、ＨＤＭＩ規格は、さらにその中でＣＥＣ（Consumer Electronics Control）規格が規定されており、ＨＤＭＩインターフェースは、そのＣＴＣ規格に準拠した信号伝送ライン（以下、ＣＴＣラインという）を内包した信号伝送手段として構成される。このＣＴＣラインを内包するＨＤＭＩインターフェースは、ＴＭＤＳラインを通じた映像信号及び音声信号の伝送に加え、ＣＴＣラインを通じてその他の情報（制御情報など）を伝送することが可能である。なお、ＨＤＭＩインターフェースは、ＴＭＤＳラインを通じた映像信号及び音声信号の伝送は一方向にのみ可能であるがが、ＣＴＣラインを通じた情報伝送は双方向で可能である。
【特許文献１】特開２０００−１０１９６５号公報
【特許文献２】特開２００４−２０８２９０号公報
【発明の開示】
【発明が解決しようとする課題】
【０００４】
ところで、テレビジョン受像機と複数の録画再生装置とが存在する場合に、テレビジョン受像機の映像表示部及び操作部（リモコンなど）をマンマシンインターフェースとすることにより、複数の録画装置が存在することをユーザが特に意識することなく、複数の録画再生装置それぞれに録画された録画番組をまとめて把握し、その録画番組の一部又は全部についての所定の処理（再生処理や削除処理など）を録画再生装置に指示するための操作を行うことができれば、ユーザにとって非常に便利である。
また、昨今の録画再生装置は、価格が低廉化して一家に複数台所有されることが多く、また、その録画容量（ハードディスクドライブなどの記憶部の容量）も大きい。このため、複数の録画再生装置に録画された多数の録画番組の内容を、映像表示装置の表示映像によってまとめて把握できるメリットは非常に大きい。
これに対し、従来の一般的なテレビジョン受像機と録画再生装置との組合せでは、テレビジョン受像機において、いわゆる入力切り替えによって映像の入力元が録画再生装置となるように切り替えた上で、録画再生装置において選択メニュー映像の出力状態となるように操作する必要があり、その操作が手間であるという問題点があった。
また、特許文献１には、コンピュータと複数の録画再生装置とがネットワークで接続されている場合に、ユーザが複数の録画再生装置の存在を意識することなくそれらの録画番組をまとめて把握できるようにする構成について何ら開示も示唆もなされていない。
従って、本発明は上記事情に鑑みてなされたものであり、その目的とするところは、映像表示装置と複数の録画再生装置とが接続されている場合に、映像表示装置を利用中のユーザが、複数の録画再生装置それぞれにおける録画番組をまとめて把握し、その録画番組の一部又は全部を選択して所定の処理を録画再生装置に指示するための操作を容易に行うことができる映像表示装置を提供することにある。
【課題を解決するための手段】
【０００５】
上記目的を達成するために本発明は、映像表示部を備え、映像信号を含む信号を伝送するＴＭＤＳ信号伝送ライン（前記ＴＭＤＳラインに相当）とＣＥＣ規格に準拠したＣＥＣ信号伝送ライン（前記ＣＥＣラインに相当）とを含みＨＤＭＩ規格に準拠した信号伝送を行うＨＤＭＩ信号伝送手段（前記ＨＤＭＩインターフェースに相当）により、複数の録画再生装置と通信可能に構成され、以下の（１）〜（４）に示す各構成要素を備えた映像表示装置として構成されるものである。
（１）前記複数の録画再生装置それぞれの記憶部に録画された録画番組に関する録画番組情報を、前記ＨＤＭＩ信号伝送手段を通じて前記複数の録画再生装置から取得する録画番組情報取得手段。
（２）前記録画番組情報取得手段により取得された前記録画番組情報に基づいて、前記複数の録画再生装置についての前記録画番組の内容情報を編成して前記映像表示部に表示させる録画番組情報表示制御手段。
（３）前記録画番組の内容情報が前記映像表示部に表示された状態で、所定の操作部を通じた操作入力に従って前記録画番組を選択する録画番組選択手段。
（４）前記録画番組選択手段により選択された前記録画番組についての処理を実行することを、前記ＣＥＣ信号伝送ラインを通じて前記録画再生装置に指示する処理指示手段。
ここで、前記録画番組情報取得手段は、例えば、前記録画番組情報の送信を前記ＣＥＣ信号伝送ラインを通じて前記複数の録画再生装置に対して要求し、これに応じて返信される前記録画番組情報を取得するものである。なお、前記録画番組情報取得手段は、このように当該映像表示装置側から能動的に前記録画再生装置に対して情報の要求を行うものの他、前記録画再生装置側から能動的に送られてくる前記録画番組情報を受動的に取得（受信）するものも考えられる。
【０００６】
本発明に係る映像表示装置は、複数の録画再生装置それぞれの録画番組の内容情報を編成して映像表示部に表示させ、その表示状態において録画番組の選択及び処理の指示を実行する。このため、ユーザは、当該映像表示装置の映像表示部及び操作部（リモコンなど）をマンマシンインターフェースとして、複数の録画再生装置それぞれにおける録画番組をまとめて把握でき、また、その録画番組の一部を選択して所定の処理（再生処理や削除処理など）を録画再生装置に指示することができる。
また、前記録画番組情報表示制御手段が、放送日時、放送チャンネル、所定のキーワード（ジャンルや出演者など）、前記録画番組情報に含まれる所定の区分情報（録画番組のデータが保存されているフォルダの名称等）及び録画されている前記録画再生装置の識別情報のうちの１又は複数に基づいて前記録画番組の内容情報を編成することが考えられる。
これにより、ユーザは、断片的に把握している番組の情報（放送日時や放送チャンネル、キーワード、保存先のフォルダ名等）に基づいて、数多くの録画番組の中から目的とする録画番組を容易に探し出すことができる。
【０００７】
ここで、前記録画番組情報取得手段は、（ａ）前記録画番組情報を前記ＴＭＤＳ信号伝送ラインを通じて取得するものと、（ｂ）前記ＣＥＣ信号伝送ラインを通じて取得するものとが考えられる。
前者（ａ）の場合、前記録画番組情報取得手段は、前記録画番組情報表示制御手段によって前記映像表示部に表示される前記録画番組の内容情報を含む前記録画番組情報を、前記ＴＭＤＳ信号伝送ラインを通じて前記複数の録画再生装置から受信する。
これにより、前記録画番組の内容情報は、その容量が大きい場合であっても、前記ＴＭＤＳ信号伝送ラインを通じて高速に伝送される。なお、ＨＤＭＩ規格において、前記ＴＭＤＳ信号伝送ラインは、映像信号以外の情報をサブパケットととして伝送できるよう規定されており、前記録画番組情報はそのサブパケットに含めて伝送可能である。
但し、（ａ）の場合、当該映像表示装置の内部構成や複数の録画再生装置との接続形態によっては、前記ＴＭＤＳ信号伝送ラインによる信号取得先（録画再生装置）を順次切り替える必要が生じ、映像表示部に表示中の映像を継続表示できなくなる可能性がある。
一方、前記ＣＥＣ信号伝送ラインを通じた信号伝送速度は比較的遅い（３００ｂｐｓ程度）。このため、容量の大きな前記録画番組の内容情報を前記ＣＥＣ信号伝送ラインを通じて伝送すると、その伝送に要する時間が長くなって実用的でなくなる。
そこで、後者（ｂ）の場合、番組の識別情報と番組内容の情報とが関連付けられた電子番組情報（ＥＰＧ情報）を記憶する電子番組情報記憶手段を具備し、前記録画番組情報取得手段は、前記録画番組の識別情報を含む前記録画番組情報を前記ＣＥＣ信号伝送ラインを通じて前記複数の録画再生装置から受信する。そして、前記録画番組情報表示制御手段は、前記録画番組の識別情報に基づいて前記電子番組情報記憶手段に記憶された前記電子番組情報の中から前記映像表示部に表示させる前記録画番組の内容情報を検索する。
これにより、前記ＣＥＣ信号伝送ラインを通じて伝送される前記録画番組情報（前記番組の識別情報）の容量が必要最小限となり、前記録画番組情報の伝送時間を短縮できる。また、映像表示部に表示中の映像を継続表示できなくなるという現象を回避できる。
【発明の効果】
【０００８】
本発明に係る映像表示装置は、これを利用中のユーザが、当該映像表示装置の映像表示部及び操作部をマンマシンインターフェースとして、複数の録画再生装置における多数の録画番組について、その内容をまとめて把握（確認）し、録画番組を選択して処理を指示する操作を容易に行うことができる。即ち、ユーザが、複数の録画再生装置それぞれを操作して録画番組の内容を確認する必要がない。
また、本発明に係る映像表示装置が、放送日時、放送チャンネル、所定のキーワード（ジャンルや出演者など）、前記録画番組情報に含まれる所定の区分情報（録画番組のデータが保存されているフォルダの名称等）及び録画されている前記録画再生装置の識別情報のうちの１又は複数に基づいて前記録画番組の内容情報を編成すれば、ユーザが、数多くの録画番組の中から目的とする録画番組を容易に探し出すことができ、操作性がより高まる。
【発明を実施するための最良の形態】
【０００９】
以下添付図面を参照しながら、本発明の実施の形態について説明し、本発明の理解に供する。なお、以下の実施の形態は、本発明を具体化した一例であって、本発明の技術的範囲を限定する性格のものではない。
ここに、図１は本発明の実施形態に係るテレビジョン受像機Ｘを含む録画システムＺの概略構成を表すブロック図、図２は録画システムＺにおける録画番組操作処理の手順を表すフローチャート、図３は本発明の実施形態に係るテレビジョン受像機Ｘにおける録画番組選択メニューの表示画面の一例を表す図、図４はテレビジョン受像機Ｘに記憶されるＥＰＧログ情報のデータ構成の一例を表す図、図５はテレビジョン受像機Ｘが録画再生装置から取得する録画番組情報のデータ構成の一例を表す図である。
【００１０】
まず、図１に示すブロック図を用いて、本発明の実施形態に係るテレビジョン受像機Ｘを含む録画システムＺの構成について説明する。
録画システムＺは、映像表示部５を備えるテレビジョン受像機Ｘ（映像表示装置の一例）と、録画・再生機能を備える複数（図１では２台）の録画再生装置Ｙとが、ＨＤＭＩ規格に準拠した信号伝送手段であるＨＤＭＩインターフェースＷによって通信可能に構成されたシステムである。ここで、ＨＤＭＩインターフェースＷは、映像信号及び音声信号（いずれもデジタル信号）を伝送するＴＭＤＳライン４１と、ＨＤＭＩ規格のオプション規格であるＣＥＣ規格に準拠したＣＥＣライン４２（ＣＥＣ信号伝送ラインに相当）を含んでいる。なお、ＴＭＤＳライン４１は、複数本の信号ラインにより構成され、ＴＭＤＳライン４１及びＣＥＣライン４２は、見かけ上１本のＨＤＭＩケーブル４０として構成されている。
録画システムＺの特徴は、テレビジョン受像機Ｘが、複数の録画再生装置Ｙそれぞれに録画された番組（録画番組）の内容情報（番組タイトル等）をまとめて映像表示部５に表示させ、さらに、テレビジョン受像機Ｘに対する操作により、録画番組の選択と、選択された録画番組に対する処理（再生処理又は削除処理）の指示とを可能にする録画番組操作処理を実行することである。その詳細については後述する。
【００１１】
［テレビジョン受像機Ｘ］
本発明の実施形態に係るテレビジョン受像機Ｘは、図１に示すように、チューナ１、２つのＨＤＭＩ受信部２ｘａ、２ｙａ、ＣＥＣインターフェース２ｘｂ、映像切替回路３、映像処理回路４、映像表示部５、制御回路６、リモコンインターフェース（Ｉ／Ｆ）回路７、リモコン８、サブＭＰＵ９、音声切替回路１０、音声処理回路１１、アンプ１２及びスピーカ１３等を具備して構成されている。
【００１２】
チューナ１は、地上波放送信号やＢＳ衛星放送信号等の放送信号から、前記制御回路６により指示される放送チャンネルの信号を抽出（選局）するとともに、その抽出信号の検波によって映像信号及び音声信号を取り出し、その映像信号及び音声信号の各々を映像切替回路３及び音声切替回路１０各々へ伝送するものである。
また、ＨＤＭＩ受信部２ｘａ、２ｙａ（図中、ＨＤＭＩ−ＲＸと表記）は、ＨＤＭＩ規格に準拠した信号伝送インターフェースである。このＨＤＭＩ受信部２ｘａ、２ｙａは、ＴＭＤＳライン４１を通じて、外部装置（ここでは、録画再生装置Ｙ）からベースバンド方式で映像信号及び音声信号を入力し、それらを映像切替回路３及び音声切替回路１０各々へ伝送する。
ＣＥＣインターフェース２ｘｂは、ＨＤＭＩ規格におけるＣＥＣ規格に準拠した信号伝送インターフェースである。このＣＥＣインターフェース２ｘｂは、ＣＥＣライン４２を通じて、外部装置（ここでは、録画再生装置Ｙ）との間で情報の送受信を行う。ＣＥＣインターフェース２ｘｂの受信情報の直接の伝送先及び送信情報の直接の供給元は、サブＭＰＵ９である。
図１に示す例では、テレビジョン受像機Ｘは、２台の録画再生装置Ｙ（外部装置）それぞれに対応する２つのＨＤＭＩ受信部２ｘａ、２ｙａを備えている。また、テレビジョン受像機Ｘは、２台の録画再生装置Ｙに対応するＣＥＣインターフェース２ｘｂを１つだけ備えている。
映像切替回路３は、チューナ１及びＨＤＭＩ受信部２ｘａ、２ｙａからの映像信号を入力し、それらの映像信号のうちの任意の１つの映像信号を制御回路６からの指示に従って選択して出力するものである。
【００１３】
映像処理回路４は、映像切替回路３から出力された映像信号に対して各種信号処理を行うものである。例えば、映像処理回路４は、映像切替回路３からの映像信号に、制御回路６から指定された情報の映像をスーパーインポーズする（重ね合わせる）ＯＳＤ機能を備えている。
さらに、映像処理回路４は、チューナ１により抽出された番組の放送信号から、そこに含まれるＥＰＧ情報（電子番組ガイド情報）を抽出して制御回路６に引き渡すＥＰＧ抽出機能も備えている。そして、制御回路６は、映像処理回路４から取得したＥＰＧ情報の一部を、常に最近の所定期間分（例えば、２ヶ月〜１２ヶ月分程度の予め定められた期間）だけＥＰＧログ情報Ｄ０としてＥＥＰＲＯＭ６ｃに記憶させる。
図４は、ＥＥＰＲＯＭ６ｃ（電子番組情報記憶手段の一例）に記憶されるＥＰＧログ情報Ｄ０のデータ構成の一例を表すものである。
図４に示すように、ＥＰＧログ情報Ｄ０は、番組の識別情報である番組識別コードｄ１と、番組内容の情報である番組タイトルｄ２、放送チャンネルｄ３、放送日時ｄ４及びジャンルｄ５等とが関連付けられた情報（電子番組情報）である。
映像表示部５は、液晶パネル及び液晶ドライバを備えた液晶表示部などにより構成され、映像処理回路４から出力される映像信号に基づく映像を表示するものである。
【００１４】
音声切替回路１０は、チューナ１からの音声信号及びＨＤＭＩ受信部２ｘａ、２ｙａからの音声信号が入力され、それらの音声信号のうちの任意の１つの音声信号を、制御回路６からの指示に従って音声処理回路１１に出力するものである。
音声処理回路１１は、音声切替回路１０から出力された信号に対し、イコライズ処理やＤ／Ａ変換処理等を行うものである。
アンプ１２は、音声処理回路１１による処理後の音声信号を、制御回路６からの指示に従って増幅或いは減衰させる処理（ボリューム調節処理）を行い、スピーカ１３に出力するものである。
【００１５】
制御回路６は、演算手段であるＭＰＵ６ａ、そのＭＰＵ６ａによって実行される制御プログラムが予め格納される記憶手段であるＲＯＭ６ｂ（ＥＰＲＯＭ）、ＭＰＵ６ａが実行する処理において読み書きされる各種情報を記憶するＥＥＰＲＯＭ６ｃ等を備え、当該テレビジョン受像機Ｘ全体を制御するものである。以下に示す制御回路６の処理や機能は、ＭＰＵ６ａがＲＯＭ６ｂに記憶されたプログラムを実行することによって実現される。
リモコン８は、当該テレビジョン受像機Ｘの動作の制御用の無線信号（例えば、赤外線信号）を出力するリモート操作器であり、不図示の操作入力部や無線信号出力回路等を備えている。
前記操作入力部は、チャンネル選択キーや音量調節キーなど、情報入力のための操作部であり、その操作内容に応じた信号が前記無線信号出力回路に伝送される。また、前記無線信号出力回路は、前記操作入力部から伝送されてくる信号（即ち、テレビジョン受像機Ｘの動作の制御信号）を、無線信号（例えば、赤外線信号）に変換し、当該リモコン８からテレビ本体側へ無線伝送するものである。
一方、リモコンインターフェース回路７は、リモコン８から伝送される無線信号（赤外線信号等）を受信し、これを電気信号に変換することにより、リモコン８から伝送される各種情報を取得するとともに、その取得情報をサブＭＰＵ９に伝送するものである。
サブＭＰＵ９は、制御回路６と、リモコンインターフェース回路７及びＣＥＣインターフェース２ｘｂとの間で情報伝送を中継する処理を実行するマイクロコンピュータである。
【００１６】
［録画再生装置Ｙ］
本発明の実施形態に係る録画再生装置Ｙは、図１に示すように、チューナ２１、録画・再生回路２２、ＨＤＤ２３（ハードディスクドライブ）、ＨＤＭＩ送信部２５ａ、ＣＥＣインターフェース２５ｂ、制御回路２４、リモコンインターフェース回路２６、リモコン２７及びサブＭＰＵ２８等を具備して構成されている。
ここで、チューナ２１、リモコンインターフェース回路２６、リモコン２７、サブＭＰＵ２８は、それぞれテレビジョン受像機Ｘにおけるチューナ１、リモコンインターフェース回路７、リモコン８及びサブＭＰＵ９と同様のものである。
【００１７】
録画・再生回路２２は、放送番組の録画処理及び録画番組の再生処理を実行するものである。即ち、録画・再生回路２２は、チューナ２１により抽出された番組の放送信号（映像信号及び音声信号）を圧縮符号化してＨＤＤ２３に記録する録画処理を実行する。さらに、録画・再生回路２２は、ＨＤＤ２３に録画（記録）された放送番組のデータを復号化しながらＨＤＭＩ送信部２５ａを通じて外部出力する再生処理を実行する。
さらに、録画・再生回路２２は、チューナ２１により抽出された番組の放送信号から、そこに含まれるＥＰＧ情報（電子番組ガイド情報）を抽出してＨＤＤ２３に記録するＥＰＧ取得機能も備えている。このＥＰＧ情報は、録画予約処理の際の予約番組の選択メニュー画面を生成する処理や、録画された番組（録画番組）の映像信号及び音声信号に関連付けてＨＤＤ２３に記録される番組のタイトルや放送日時等を特定する処理を実行する際に用いられる。
ＨＤＭＩ送信部２５ａ（図中、ＨＤＭＩ−ＴＸと表記）は、ＨＤＭＩ規格に準拠した信号伝送インターフェースである。このＨＤＭＩ送信部２５ａは、ＴＭＤＳライン４１を通じて、外部装置（ここでは、テレビジョン受像機Ｘ）に対し、ベースバンド方式で映像信号及び音声信号を出力する。
ＣＥＣインターフェース２５ｂは、テレビジョン受像機ＸにおけるＣＥＣインターフェース２ｘｂと同様に、ＨＤＭＩ規格におけるＣＥＣ規格に準拠した信号伝送インターフェースである。このＣＥＣインターフェース２５ｂは、ＣＥＣライン４２を通じて、外部装置（ここでは、テレビジョン受像機Ｘ）との間で情報の送受信を行う。ＣＥＣインターフェース２５ｂの受信情報の直接の伝送先及び送信情報の直接の供給元は、サブＭＰＵ２８である。
【００１８】
また、録画再生装置Ｙにおいて、ＨＤＭＩインターフェースＷの一部を構成するＨＤＭＩ送信部２５ａ及びＣＥＣインターフェース２５ｂと、サブＭＰＵ２８と、リモコンインターフェース回路２６とは、当該録画再生装置Ｙが商用電源に接続されている状態では、常時通電された状態となっている。一方、チューナ２１や制御回路２４、録画・再生回路２２及びＨＤＤ２３等は、当該録画再生装置Ｙが商用電源に接続されている状態において、それらへの通電がなされた稼動状態と、それらへの通電が遮断された待機状態との２状態に切り替えられる。その２状態の切り替えは、サブＭＰＵ２８が不図示の通電スイッチの切り替え制御を行うことにより実現される。
即ち、サブＭＰＵ２８は、当該録画再生装置Ｙが前記待機状態である場合に、リモコン２７からリモコンインターフェース回路２６を通じて電源キーの操作信号が受信されたこと、或いはテレビジョン受像機ＸからＣＥＣインターフェース２５ｂを通じて自装置宛の何らかのコマンドが受信されたことを検知すると、前記通電スイッチをＯＦＦ状態からＯＮ状態へ切り替えることにより、当該録画再生装置Ｙを前記待機状態から前記稼動状態へ切り替える（即ち、起動する）。
また、サブＭＰＵ２８は、当該録画再生装置Ｙが前記稼動状態である場合に、リモコン２７からリモコンインターフェース回路２６を通じて電源キーの操作信号が受信されたこと、或いはテレビジョン受像機ＸからＣＥＣインターフェース２５ｂを通じて停止コマンドが受信されたことを検知すると、前記通電スイッチをＯＮ状態からＯＦＦ状態へ切り替えることにより、当該録画再生装置Ｙを前記稼動状態から前記待機状態へ切り替える。
これにより、録画再生装置Ｙは、リモコン２７やテレビジョン受像機Ｘからのリモート制御によって、前記稼動状態と前記待機状態との切り替えが行われる。
【００１９】
制御回路２４は、演算手段であるＭＰＵ２４ａ、そのＭＰＵ２４ａによって実行される制御プログラムが予め格納される記憶手段であるＲＯＭ２４ｂ（ＥＰＲＯＭ）、ＭＰＵ２４ａが実行する処理において読み書きされる各種情報を記憶するＥＥＰＲＯＭ２４ｃ等を備え、当該録画再生装置Ｙ全体を制御するものである。以下に示す制御回路２４の処理や機能は、ＭＰＵ２４ａがＲＯＭ２４ｂに記憶されたプログラムを実行することによって実現される。
また、録画再生装置Ｙの制御回路２４は、録画・再生回路２２によってＨＤＤ２３に記録されたＥＰＧ情報と、同じく予めＨＤＤ２３に記録される番組予約情報とに基づいて、放送番組（映像及び音声）の予約録画を行う予約録画機能も有している。なお、予約録画機能は周知の機能であるので、ここでは詳細な説明は省略する。
また、制御回路２４は、ＨＤＤ２３における録画データの記録先（保存先）である１つ又は複数のフォルダ（以下、保存フォルダという）を設定するフォルダ設定機能も有している。
これにより、制御回路２４は、リモコン２７に対する操作入力に従って、予め設定された複数のフォルダ（区分）を指定した上で、録画・再生回路２２に対して録画処理や再生処理を実行させる。
また、制御回路２４は、録画・再生回路２２によって放送番組の録画が実行される際に、その録画データに関連付けて録画番組の識別情報である前記番組識別コードｄ１をＨＤＤ２３に記録する。この番組識別コードｄ１は、録画・再生回路２２によって抽出されたＥＰＧ情報に含まれる情報である。
なお、後述するように、録画再生装置Ｙは、テレビジョン受像機Ｘからの要求（指示）に応じて、録画番組に対応する番組識別コードｄ１を含む録画番組情報Ｄ１（図５参照）をテレビジョン受像機Ｘに引き渡す。
【００２０】
次に、図２に示すフローチャートを参照しつつ、録画システムＺにおける録画番組操作処理の手順について説明する。
ここで、図２に示す処理は、ユーザによるリモコン８の特定のキー（以下、録画番組操作キーという）の操作等がなされた場合に開始されるものとする。また、以下に示すＳ１０１、Ｓ１０２、…は、処理手順（ステップ）の識別符号を表す。
前記録画番組操作処理は、テレビジョン受像機Ｘと録画再生装置Ｙとが、ＨＤＭＩインターフェースＷを通じて情報の授受を行いつつ実行する処理である。以下、先にテレビジョン受像機Ｘ側の処理について説明し、続けて録画再生装置Ｙ側の処理について説明する。
【００２１】
まず、録画番組操作処理におけるテレビジョン受像機Ｘ側の処理について説明する。
［ステップＳ１０１、Ｓ１０２］
制御回路６は、前記録画番組操作キーが操作されたことを検知すると、前記録画番組情報Ｄ１（詳しくは、後述）の送信を要求するための要求コマンドを、ＣＥＣライン４２を通じて各録画再生装置Ｙに対して送信する（Ｓ１０１）。なお、テレビジョン受像機ＸにおけるＣＥＣライン４２を通じた通信制御（情報の送信及び受信の制御）は、ＣＥＣインターフェース２ｘｂにより行われる。
次に、制御回路６は、前記録画番組情報Ｄ１の要求に応じて各録画再生装置Ｙから返信される前記録画番組情報Ｄ１を、前記ＣＥＣライン４２（ＣＥＣ信号伝送ライン）を通じて受信する処理を実行する（Ｓ１０２）。後述するように、前記録画番組情報Ｄ１には、複数の録画再生装置ＹそれぞれのＨＤＤ２３に録画された録画番組を識別する前記番組識別コードｄ１が含まれる。なお、ステップＳ１０１及びＳ１０２の処理を実行する制御回路６が、録画番組情報取得手段の一例である。
さらに、ステップＳ１０２において、制御回路６は、前記録画番組情報の要求コマンドの送信後の所定時間内に、各録画再生装置Ｙから前記録画番組情報Ｄ１が受信されたか否かを判別する。なお、制御回路６は、ＣＥＣライン４２を通じて、録画再生装置Ｙから後述する録画番組無し通知を受信した場合には、その録画再生装置Ｙからは前記録画番組情報Ｄ１は受信されなかったと判別する。
図５は、前記録画番組情報Ｄ１のデータ構成の一例を表すものである。
図５に示す前記録画番組情報Ｄ１は、録画再生装置Ｙに録画された録画番組それぞれを識別する前記番組識別コードｄ１と、当該録画番組情報Ｄ１の送信元の録画再生装置Ｙを識別する情報である装置名ｄ６と、録画番組の保存先である前記保存フォルダの識別情報であるフォルダ名ｄ７（区分情報の一例）とが対応付けられた情報である。
【００２２】
［ステップＳ１０３、Ｓ１１１、Ｓ１１２］
そして、制御回路６は、ステップＳ１０２において前記録画番組情報Ｄ１が１以上の録画再生装置Yから受信されなかったことを確認すると、処理をステップＳ１１２及びＳ１１３に移行させる。そして、制御回路６は、録画番組が存在しない旨のメッセージを映像表示部５にＯＳＤ表示させ（Ｓ１１２）、一定時間後に表示中のＯＳＤ表示を消去（Ｓ１１１）させた後、当該録画番組操作処理を終了させる。
一方、制御回路６は、ステップＳ１０２において前記録画番組情報Ｄ１が１以上の録画再生装置Yから受信されたことを確認すると、その録画番組情報Ｄ１に基づいて、複数の録画再生装置Ｙについての前記録画番組の内容情報を編成して表示する録画番組選択メニューの映像（画面）を生成し、そのメニュー映像を映像表示部５にＯＳＤ表示させる（Ｓ１０３、録画番組情報表示制御手段の一例）。
より具体的には、制御回路６は、ステップＳ１０３において、録画再生装置Ｙから取得した前記録画番組情報Ｄ１に含まれる前記番組識別コードｄ１を検索キーとして、ＥＥＰＲＯＭ６ｃに予め記憶された前記ＥＰＧログ情報Ｄ０（電子番組情報）の中から映像表示部５に表示させる録画番組の番組タイトルｄ２（内容情報）及びその関連情報（放送チャンネルｄ３、放送日時ｄ４、ジャンルｄ５）を検索する。
そして、制御回路６（録画番組情報表示制御手段の一例）は、検索により得られた放送チャンネルｄ３、放送日時４及びジャンルｄ５（キーワードの一例）と、前記録画番組情報Ｄ１に含まれる装置名ｄ６（録画再生装置の識別情報の一例）及び保存フォルダ名ｄ７（所定の区分情報の一例）とに基づいて、番組タイトルｄ２（録画番組の内容情報）を編成することにより、前記録画番組選択メニューｖ１を生成する。
【００２３】
図３は、前記録画番組選択メニューｖ１のＯＳＤ表示画面の一例である。
図３に示すように、制御回路６は、映像表示部５に、既に表示中の映像ｖ０とともに、複数の録画再生装置Ｙについての録画番組の番組タイトルｄ２（内容情報の一例）及びその関連情報ｄ３〜ｄ７のリストをＯＳＤ表示により一覧表示させる。その他、制御回路６が、既に表示中の映像ｖ０と、前記録画番組選択メニューｖ１の映像とをマルチ画面表示させることや、前記録画番組選択メニューｖ１の映像のみを表示させることも考えられる（不図示）。
ここで、制御回路６は、番組タイトルｄ２のリストを、前記関連情報ｄ３〜ｄ７のうち指定されたもの（以下、指定項目という）について降順或いは昇順に並ぶよう編成する。図３に示す例は、前記保存フォルダ名ｄ７が前記指定項目である場合の例である。
制御回路６は、前記録画番組選択メニューｖ１の表示中に、リモコン８における１〜５のテンキーの操作がなされたことを検知すると、操作されたテンキーに対応した関連情報ｄ３〜ｄ７を前記指定項目として番組タイトルｄ２のリストを編成し直し、前記録画番組選択メニューｖ１のＯＳＤ表示を更新させる。
これにより、ユーザは、断片的に把握している番組の関連情報ｄ３〜ｄ７に基づいて、数多くの録画番組の中から目的とする録画番組を容易に探し出すことができる。
【００２４】
［ステップＳ１０４〜Ｓ１０７］
次に、制御回路６は、映像表示部５に図３に示す前記録画番組選択メニューｖ１（録画番組の内容を表す番組タイトルｄ２のリスト）が表示された状態で、リモコン８の操作部を通じた操作入力に従って、録画番組を選択する録画番組選択処理を実行し（Ｓ１０４、録画番組選択手段の一例）、その選択結果に従って次の処理の移行先を切り替える（Ｓ１０５）。ここで、制御回路６は、サブＭＰＵ９を通じて上下の方向キー（操作部のキー）のいずれが操作されたかを判別し、その判別結果によってリスト表示された録画番組の番組タイトルｄ２の中から１つを選択する。このとき、制御回路６は、サブＭＰＵ９を通じて決定キーが操作されたことを検知した場合に録画番組の選択を確定し、キャンセルキーが操作されたことを検知した場合には、いずれの録画番組も選択しないことを確定する。
そして、制御回路６は、いずれの録画番組も選択しないことを確定した場合、前記録画番組情報Ｄ１の送付元の録画再生装置Ｙそれぞれに対し、ＣＥＣライン４２を通じて、選択番組がない旨の通知（選択番組無し通知）を行い（Ｓ１０６）、その後、表示中のＯＳＤ表示を消去（Ｓ１１１）させた後、当該録画番組操作処理を終了させる。
一方、制御回路６は、いずれかの録画番組の選択を確定した場合、その選択した録画番組（以下、選択録画番組という）について、再生処理と削除処理のいずれを行うかの選択（処理選択）と、選択された処理を実行することを、ＣＥＣライン４２を通じて録画再生装置Ｙに指示するための処理指示コマンドの送信とを行う（Ｓ１０７、処理指示手段の一例）。
前記処理指示コマンドには、処理対象である録画番組の前記番組識別コードｄ１と、処理内容（再生か削除か）を表す情報とが含められる。
なお、前記処理指示コマンドが、前記選択録画番組が録画されている録画再生装置Ｙに送信されることはいうまでもない。また、それ以外の録画再生装置Ｙに対しては、制御回路６は、ステップＳ１０６の処理と同様に、ＣＥＣライン４２を通じて前記選択番組無し通知を行う。
【００２５】
［ステップＳ１０８］
次に、制御回路６は、前記処理指示コマンドの送信先の録画再生装置Ｙから、指示した処理が実行を受け付けた旨の通知（以下、処理実行通知という）が所定時間内に受信されたか否かを判別し（Ｓ１０８）、処理実行通知が受信された場合には、ステップＳ１０７で指示した処理に応じた処理を実行する（Ｓ１０９）。
具体的には、制御回路６は、録画番組の再生処理を指示した場合には、映像映像切替回路３及び音声切替回路１０を制御することにより、再生処理の指示先の録画再生装置Ｙの再生番組の信号（映像信号及び音声信号）が映像表示部５及びスピーカ１３を通じて出力されるよう入力切り替えを行う。
また、制御回路６は、録画番組の削除処理を指示した場合には、削除処理が実行された旨のメッセージを映像表示部５にＯＳＤ表示させる。
一方、制御回路６は、前記処理実行通知が所定時間内に受信されなかった場合には、所定のエラーメッセージを映像表示部５にＯＳＤ表示させる（Ｓ１１０）。
そして、制御回路６は、ステップＳ１０９又はＳ１１０の処理の実行後、一致時間後に映像表示部５に表示中のＯＳＤ表示を消去する処理を実行（Ｓ１１１）した後、当該録画番組操作処理を終了させる。
以上の処理が、前記録画番組操作処理におけるテレビジョン受像機Ｘ側の処理である。
【００２６】
次に、録画番組操作処理における録画再生装置Ｙ側の処理について説明する。
［ステップＳ２０１、Ｓ２０２］
録画再生装置Ｙ側では、まず、制御回路２４が、ＣＥＣライン４２を通じてテレビジョン受像機ＸからステップＳ１０１の処理で送信される前記録画番組情報の要求コマンドを受信する処理を実行する（Ｓ２０１）。なお、当該録画再生装置Ｙが前記待機状態である場合には、まず、サブＭＰＵ２８が、自装置宛のコマンドが受信された時点で、前記通電スイッチを制御することによって前記待機状態から前記稼動状態へ切り替え（即ち、起動し）、これによって起動した制御回路６が、受信されたコマンド内容の判別を行う。
そして、制御回路２４は、前記要求コマンドの受信を検知すると（テレビジョン受像機Ｘからの要求に応じて）、ＨＤＤ２３に記憶されている録画番組の検索処理を実行する（Ｓ２０２）。ここで、録画番組の検索処理は、ＨＤＤ２３における前記保存フォルダ（区分の一例）それぞれについて、そこに録画されている番組（録画番組）の前記番組識別コードｄ１及びその保存フォルダ名ｄ７を特定する処理である。
【００２７】
［ステップＳ２０３〜Ｓ２０５］
次に、録画再生装置Ｙの制御回路２４は、ステップＳ２０２における録画番組の検索処理によって１つ以上の録画番組が特定されたか否かを判別する（Ｓ２０３）。ここで、制御回路２４は、録画番組が１つも特定されなかったと判別した場合には、録画番組が存在しない旨を表す通知である前記録画候補無し通知を、ＣＥＣライン４２を通じてテレビジョン受像機Ｘに送信し（Ｓ２０５）、その後、処理を前述したステップＳ２０１へ戻す。その際、サブＭＰＵ２８は、テレビジョン受像機Ｘから要求コマンドを受信する前の状態が前記待機状態であった場合には、前記通電スイッチを制御することにより、当該録画再生装置Ｙを前記稼動状態から前記待機状態へ切り替える（元の状態へ戻す）。
一方、制御回路２４は、録画番組が１つ以上特定されたと判別した場合は、前記録画番組情報Ｄ１（図５参照）を編成し、それをＣＥＣライン４２を通じてテレビジョン受像機Ｘに送信する（Ｓ２０４）。
なお、図５に示したように、録画番組情報Ｄ１は、録画番組の番組識別コードｄ１、当該録画再生装置Ｙの装置名ｄ６及び前記保存フォルダ名ｄ７が対応付けられた情報である。ここで、装置名ｄ６及び保存フォルダ名ｄ７は、ユーザがリモコン２７の操作によって設定する情報であり、制御回路２４によって予めＨＤＤ２３或いはＥＥＰＲＯＭ２４ｃに記憶される。また、番組識別コードｄ１は、ＥＰＧ情報において番組それぞれを識別するコードである。
【００２８】
［ステップＳ２０６］
次に、録画再生装置Ｙの制御回路２４は、テレビジョン受像機Ｘから、前記処理指示コマンド（ステップＳ１０７で送信されるコマンド）を、前記ＣＥＣライン４２を通じて受信する処理を実行する（Ｓ２０６）。このステップＳ２０６において、制御回路２４は、前記録画番組情報Ｄ１の送信後の所定時間内に、テレビジョン受像機Ｘから前記処理指示コマンドが受信されたか否かを判別する。なお、制御回路２４は、ＣＥＣライン４２を通じて、テレビジョン受像機Ｘから前記選択番組無し通知（ステップＳ１０６で送信される通知）を受信した場合には、テレビジョン受像機Ｘから前記処理指示コマンドは受信されなかったと判別する。
ここで、制御回路２４は、前記処理指示コマンドが受信されなかったと判別した場合には、処理を前述したステップＳ２０１へ戻す。その際、サブＭＰＵ２８は、テレビジョン受像機Ｘから要求コマンドを受信する前の状態が前記待機状態であった場合には、前記通電スイッチを制御することにより、当該録画再生装置Ｙを前記稼動状態から前記待機状態へ切り替える（元の状態へ戻す）。
【００２９】
［ステップＳ２０７、Ｓ２０８］
一方、録画再生装置Ｙの制御回路２４は、ＣＥＣライン４２を通じて前記録画指示コマンドが受信されたと判別した場合は、指示された処理の実行を受け付けた旨を表す前記処理実行通知（ステップＳ１０８で受信される通知）を、ＣＥＣライン４２を通じてテレビジョン受像機Ｘに送信する（Ｓ２０７）。
さらに、制御回路２４は、テレビジョン受像機Ｘ側のステップＳ１０４の処理において選択された前記選択録画番組について、指示された処理（再生処理又は削除処理）を実行し（Ｓ２０８）、その後、処理を前述したステップＳ２０１へ戻す。その際、サブＭＰＵ２８は、テレビジョン受像機Ｘから要求コマンドを受信する前の状態が前記待機状態であった場合には、前記通電スイッチを制御することにより、当該録画再生装置Ｙを前記稼動状態から前記待機状態へ切り替える（元の状態へ戻す）。これにより、テレビジョン受像機Ｘにおいて再生又は削除するよう選択された録画番組が、録画・再生回路２２によって再生、又は制御回路２４によって削除される。
【００３０】
以上に示したテレビジョン受像機Ｘは、複数の録画再生装置Ｙそれぞれの録画番組の内容情報（番組タイトルｄ２）を編成して映像表示部５に表示させ（Ｓ１０３）、その表示状態において録画番組の選択及び処理の指示を実行する（Ｓ１０４、Ｓ１０７）。このため、ユーザは、当該テレビジョン受像機Ｘの映像表示部５及び操作部（リモコン８）をマンマシンインターフェースとして、複数の録画再生装置Ｙそれぞれにおける録画番組をまとめて把握でき、また、その録画番組の一部を選択して再生処理や削除処理を録画再生装置Ｙに指示することができる。その結果、ユーザは、複数の録画再生装置Ｙにおける多数の録画番組について、その内容をまとめて把握（確認）し、録画番組を選択して処理を指示する操作を容易に行うことができる。即ち、ユーザが、複数の録画再生装置Ｙそれぞれを操作して録画番組の内容を確認する必要がない。
特に、録画番組選択メニューｖ１は、保存フォルダ名ｄ７や放送チャンネルｄ３、放送日時ｄ４、ジャンルｄ５、録画再生装置Ｙの装置名ｄ６などに基づいて番組タイトルｄ２のリストの並びが編成されるので、ユーザは、数多くの録画番組の中から目的とする録画番組を容易に探し出すことができる。
【００３１】
図１に示した録画システムＺは、テレビジョン受像機Ｘと録画再生装置Ｙとが、ＨＤＭＩインターフェースＷにより直接的に接続された構成を示したが、本発明の実施形態はこれに限るものではない。
例えば、テレビジョン受像機ＸとＳＴＢ（セットトップボックス）又は録画再生装置ＹとがＨＤＭＩインターフェースＷにより接続され、そのＳＴＢ又は録画再生装置Ｙと他の録画再生装置ＹとがさらにＨＤＭＩインターフェースＷにより接続された構成（間接的に接続された構成）も考えられる。
また、前述の実施形態では、前記録画番組情報Ｄ１に録画再生装置Ｙの装置名ｄ６が含まれる例を示したがこれに限るものではない。
ＣＥＣ規格に従った信号伝送では、各装置は、ＣＥＣライン４２により接続された各装置それぞれを識別可能である。このため、テレビジョン受像機Ｘが、ＣＥＣライン４２により接続された各録画再生装置Ｙの識別コードに対応付けてその装置名ｄ６を予め記憶しておくことも考えられる。
【００３２】
また、前述した録画システムＺは、テレビジョン受像機Ｘ側から能動的に録画再生装置Ｙに対して情報の要求（Ｓ１０１）を行うものであるが、テレビジョン受像機Ｘが、録画再生装置Ｙ側から能動的に送られてくる前記録画番組情報を受動的に取得（受信）する構成も考えられる。
例えば、録画再生装置Ｙが、番組の録画処理を終了するごとに最新の前記録画番組情報をテレビジョン受像機Ｘに送信し、テレビジョン受像機Ｘの制御回路６が、その最新の録画番組情報をＥＥＰＲＯＭ６ｃ等に記憶させることが考えられる。この場合、テレビジョン受像機Ｘの制御回路６は、前記録画番組操作キーの操作を検知した場合、予め記憶された前記録画番組情報に基づいて、前述したステップＳ１０２以降の処理を実行すればよい。
【００３３】
また、前述したテレビジョン受像機Ｘの制御回路６（録画番組情報取得手段の一例）は、前記録画番組情報Ｄ１を前記ＣＥＣライン４２を通じて取得するものであるが、制御回路６が前記ＴＭＤＳライン４１を通じて前記録画番組情報Ｄ１を取得する例も考えられる。
この場合、録画再生装置Ｙは、図５に示した前記録画番組情報Ｄ１に、さらに番組タイトルｄ２（内容情報）や放送チャンネルｄ３、放送日時ｄ４、ジャンルｄ５等、テレビジョン受像機Ｘの制御回路６（録画番組情報表示制御手段）によって映像表示部５に表示される録画番組の内容情報を含めて送信することができる。前記ＴＭＤＳライン４１を通じた信号伝送速度は高速であるため、前記録画番組情報の容量が大きくてもそれを短時間で送信できるからである。
一方、テレビジョン受像機Ｘの制御回路６は、前記ステップＳ１０２において、録画番組の内容情報（番組タイトルｄ２等）を含む前記録画番組情報Ｄ１を、前記ＴＭＤＳライン４１を通じて複数の録画再生装置Ｙそれぞれから受信する（録画番組情報取得手段の一例）。
さらに、制御回路６は、前記ステップＳ１０３において、前記録画番組情報Ｄ１に含まれる録画番組の内容情報を編成して映像表示部５に表示させる。
これにより、テレビジョン受像機Ｘは、前記ＥＰＧログ情報Ｄ０を記憶しておく必要がなくなる。
【００３４】
ところで、ＨＤＭＩ規格では、ＴＭＤＳライン４１は、映像信号以外の情報をサブパケットととして伝送できるよう規定されているため、録画再生装置Ｙ及びテレビジョン受像機Ｘは、前記録画番組情報Ｄ１をサブパケットに含めて受け渡しする。その際、テレビジョン受像機Ｘにおいて、例えば２つのＨＤＭＩ受信部２ｘａ、２ｙａそれぞれが、前記サブパケットに含まれる前記録画番組情報Ｄ１を抽出して制御回路６へ引き渡せばよい。
一方、映像切替回路３で選択された信号に基づいて、例えば映像処理回路４が前記サブパケットに含まれる前記録画番組情報Ｄ１を抽出する場合、制御回路６が映像切替回路３を制御することにより、ＴＭＤＳライン４２による信号取得先（録画再生装置Ｙ）を順次切り替えながら、前記サブパケットに含まれる前記録画番組情報Ｄ１を抽出する必要がある。
【産業上の利用可能性】
【００３５】
本発明は、テレビジョン受像機などの映像表示装置に利用可能である。
【図面の簡単な説明】
【００３６】
【図１】本発明の実施形態に係るテレビジョン受像機Ｘを含む録画システムＺの概略構成を表すブロック図。
【図２】録画システムＺにおける録画番組操作処理の手順を表すフローチャート。
【図３】本発明の実施形態に係るテレビジョン受像機Ｘにおける録画番組選択メニューの表示画面の一例を表す図。
【図４】テレビジョン受像機Ｘに記憶されるＥＰＧログ情報のデータ構成の一例を表す図。
【図５】テレビジョン受像機Ｘが録画再生装置から取得する録画番組情報のデータ構成の一例を表す図。
【符号の説明】
【００３７】
Ｘ…テレビジョン受像機
Ｙ…録画再生装置
Ｚ…録画システム
１、２１…チューナ
２ｘａ、２ｙａ…ＨＤＭＩ受信部
２ｘｂ、２５ｂ…ＣＥＣインターフェース
３…映像切替回路
４…映像処理回路
５…映像表示部
６、２４…制御回路
７、２６…リモコンインターフェース回路
８、２７…リモコン
９、２８…サブＭＰＵ
１０…音声切替回路
１１…音声処理回路
１２…アンプ
１３…スピーカ
２２…録画・再生回路
２３…ＨＤＤ
２５ａ…ＨＤＭＩ送信部
４０…ＨＤＭＩケーブル
４１…ＴＭＤＳライン
４２…ＣＥＣライン
Ｄ０…ＥＰＧログ情報
Ｄ１…録画番組情報
ｄ１…番組識別コード
ｄ２…番組タイトル
ｄ３…放送チャンネル
ｄ４…放送日時
ｄ５…ジャンル
ｄ６…録画再生装置の装置名
ｄ７…保存フォルダ名
Ｓ１０１、Ｓ１０２、〜…処理手順（ステップ）
【図１】
2008078961.tif 000003
【図２】
2008078961.tif 000004
【図３】
2008078961.tif 000005
【図４】
2008078961.tif 000006
【図５】
2008078961.tif 000007